(57)【要約】【課題】電子機器の接続装置に関し、静電気破壊を防止した接続装置及び電子機器を提供する。【解決手段】外部接続に用いられる導電端子（ＵＳＢ端子３０Ａ、３０Ｂ、３２Ａ、３２Ｂ）と、この導電端子に隣接して設置され、前記導電端子と絶縁されているとともに、接地導体（フレームグランド８８）に接続されて接地電位に維持させた避雷導体部３４とを備え、避雷導体部３４に静電気放電を生じさせ、導電端子側への放電を回避している。【選択図】        図４
2005005218.tif 000002
【特許請求の範囲】
【請求項１】
外部接続に用いられる導電端子と、
この導電端子に隣接して設置され、前記導電端子と絶縁されているとともに、接地導体に接続されて接地電位に維持させた避雷導体部と、
を備えたことを特徴とする接続装置。
【請求項２】
前記避雷導体部は、その導体面を前記導電端子の端子面より高い位置に設定されたことを特徴とする請求項１記載の接続装置。
【請求項３】
前記避雷導体部は、その導体面が前記導電端子の端子面より狭い面積であることを特徴とする請求項１記載の接続装置。
【請求項４】
前記避雷導体部は、その導体面に１又は２以上の突部を備えたことを特徴とする請求項１記載の接続装置。
【請求項５】
請求項１ないし請求項４記載の接続装置を備えたことを特徴とする電子機器。
【発明の詳細な説明】
【０００１】
【発明の属する技術分野】
本発明は、携帯電話機、ＰＨＳ（Ｐｅｒｓｏｎａｌ  Ｈａｎｄｙｐｈｏｎｅ  Ｓｙｓｔｅｍ）、その他の情報携帯端末等に設置され、周辺機器等の外部装置の接続に用いられる接続装置に関し、特に、接続装置及び電子機器の静電気対策に関する。
【０００２】
【従来の技術】
携帯電話機には充電端子やＵＳＢ（Ｕｎｉｖｅｒｓａｌ  Ｓｅｒｉａｌ  Ｂｕｓ）接続端子等の接続装置が設置されている。この接続装置において、充電端子は内蔵された二次電池を充電するために充電器に接続され、ＵＳＢ接続端子等の各種端子は、パソコン等の外部機器と接続されて情報の授受に用いられる。携帯電話機に設置されたこれらの接続端子は、充電器や外部機器との接続を容易にするためにケース外に露出しており、人体等、静電気を帯びた環境下に晒されている。
【０００３】
この接続装置や静電気対策に関する先行特許文献としては、次のようなものがある。
【０００４】
【特許文献１】
実用新案登録第３０７８５２１号公報
【０００５】
【特許文献２】
特開２０００−３４７７９０号公報
【０００６】
特許文献１には、接地効果を増強したＵＳＢコネクタとして、金属性ケースと導電手段の連接導通を図ってコネクタの接地効果を増強したものが開示されている。また、特許文献２には、キーボード装置に関し、静電気ノイズによる誤動作、動作不良等の不具合を防止したＵＳＢ対応のキーボード装置として、制御回路基板の下面側を覆うシールドプレートを設置し、このシールドプレートがＵＳＢコネクタのフレームグランド部及びパソコン本体に接続するケーブルのシールド線に電気的に接続した構造が開示されている。
【０００７】
【発明が解決しようとする課題】
ところで、携帯電話機に露出するＵＳＢ接続端子等の各種の接続端子に人体等から静電気が作用し、静電気放電が生じると、携帯電話機の配線基板側に高電圧が加わり、配線基板側の回路が破壊されたり、誤動作を生じるおそれがある。
【０００８】
係る課題について、特許文献１、２には静電気対策についての課題が提示されてはいるものの、外部接続に用いられる接続装置について、静電気による破壊防止や避雷対策を実現したものではない。
【０００９】
そこで、本発明は、電子機器の接続装置に関し、静電気破壊を防止した接続装置及び電子機器を提供することを目的とする。
【００１０】
【課題を解決するための手段】
上記目的を達成するため、本発明の接続装置（２０）は、外部接続に用いられる導電端子（ＵＳＢ端子３０Ａ、３０Ｂ、３２Ａ、３２Ｂ）と、この導電端子に隣接して設置され、前記導電端子と絶縁されているとともに、接地導体（フレームグランド８８）に接続されて接地電位に維持させた避雷導体部３４とを備えた構成である。
【００１１】
係る構成とすれば、避雷導体部は、外部接続に用いられる導電端子に隣接して設置されているとともに、導電端子と絶縁され、接地導体に接続されて接地電位に維持されていることから、人体等の静電気を帯びた環境下に晒されたとき、静電気が接地電位側の避雷導体部に飛ぶことになる。即ち、人体等が持つ静電気が避雷導体部を通じて接地導体側に流れる結果、導電端子側への静電気の誘導が回避され、導電端子に接続された配線基板やその実装部品が静電気による高電圧から防護される。
【００１２】
上記目的を達成するためには、前記避雷導体部は、その導体面を前記導電端子の端子面より高い位置に設定された構成としてもよい。係る構成とすれば、導電端子より人体等の静電気源側に近づくことになるので、静電気放電が避雷導体部に誘導され、導電端子に対する避雷効果が高められる。
【００１３】
上記目的を達成するためには、前記避雷導体部は、その導体面（露出部７２）が前記導電端子の端子面より狭い面積である構成としてもよい。係る構成としても、接地電位に維持された避雷導体部を導電端子の近傍に設置すればよく、その面積に関係なく避雷効果が得られる。
【００１４】
上記目的を達成するためには、前記避雷導体部は、その導体面に１又は２以上の突部８２、８４を備えた構成としてもよい。係る構成とすれば、その突部に静電気が飛び易くなり、導電端子に対する避雷効果が高められる。
【００１５】
上記目的を達成するため、本発明の電子機器（携帯電話機２）は、上記接続装置を備えたものである。係る構成とすれば、静電気が避雷導体部に飛び、外部接続のための導電端子側を静電気放電から防護でき、静電気放電による電子機器の破壊や誤動作が防止される。
【００１６】
【発明の実施の形態】
本発明の接続装置及び電子機器の実施形態について、図１ないし図３を参照して説明する。図１は実施形態に係る携帯電話機の開いた状態を示した斜視図、図２は携帯電話機の操作部を背面側から示した図、図３は操作部の接続部を示す図である。
【００１７】
この携帯電話機２は、折り畳み構造を備え、操作部４と表示部６とをヒンジ部８で折り畳み可能に構成され、操作部４には文字キー等の複数のキーボタン１０が設置され、表示部６にはＬＣＤディスプレイ１２が設置されている。操作部４側のケース１４は、前面ケース１６、背面ケース１８から構成され、これら前面ケース１６及び背面ケース１８には例えば、合成樹脂の成形体が用いられる。
【００１８】
操作部４の端部には、本発明の実施形態に係る接続装置２０が設置されており、この接続装置２０にはコネクタ接続部２２を中央にしてその左右に充電端子２４、２６が設置され、これらコネクタ接続部２２及び充電端子２４、２６はケース１４の窓部２８から露出している。
【００１９】
また、接続装置２０には、図２に示すように、外部接続のための導電端子として、ＵＳＢ端子３０Ａ、３０Ｂ、３２Ａ、３２Ｂが間隔を設けて設置されているとともに、ＵＳＢ端子３０Ａと３０Ｂ、ＵＳＢ端子３２Ａと３２Ｂの間には避雷針を構成する避雷導体部３４が設置されている。背面ケース１８にはＵＳＢ端子３０Ａ、３０Ｂ及び避雷導体部３４、ＵＳＢ端子３２Ａ、３２Ｂ及び避雷導体部３４に対応して窓部３６、３８が形成されており、窓部３６にはＵＳＢ端子３０Ａ、３０Ｂ及び避雷導体部３４、窓部３８にはＵＳＢ端子３２Ａ、３２Ｂ及び避雷導体部３４が露出している。各窓部３６、３８は背面ケース１８の背面部と端面部との境界部分に形成されており、各ＵＳＢ端子３０Ａ、３０Ｂ、３２Ａ、３２Ｂは各窓部３６、３８の内側に設置され、各避雷導体部３４の頂部導体面は、各ＵＳＢ端子３０Ａ、３０Ｂ、３２Ａ、３２Ｂの端子面より外側に突出しているとともに、背面ケース１８の外面部より窓部３６、３８の内面側に後退した位置に設定されている。そして、各窓部３６、３８の間隔内に形成された凹部４０は、図示しないコネクタキャップをケース１４に係止させるために用いられる。
【００２０】
次に、この携帯電話機２の接続装置２０について、図４ないし図６を参照して説明する。図４は、ケース１４を分解して取り出された接続装置２０を示す斜視図、図５は図４に示す接続装置のＶ−Ｖ線断面図である。
【００２１】
接続装置２０は、ケース１４に内蔵された配線基板４２に設置され、合成樹脂等の絶縁材料で形成された筐体部４４を備えている。この筐体部４４は、ケース１４の窓部２８に挿入される突出部４６を備えているとともに、その上面部に窓部３６、３８に挿入される突出部４８、５０を備えている。突出部４６にはコネクタ接続部２２が設置されているとともに、このコネクタ接続部２２を挟んで充電端子２４、２６が設置されている。各充電端子２４、２６の平坦な端子面は、突出部４６に形成された矩形の各窓部５２、５４内に設置されている。
【００２２】
また、各突出部４８、５０には、ＵＳＢ端子３０Ａ、３０Ｂに対応して開口部５６、５８、ＵＳＢ端子３２Ａ、３２Ｂに対応して開口部６０、６２がそれぞれ形成されている。各開口部５６、５８、６０、６２は、各突出部４８、５０の上面部側からケース１４の端面側に跨がって開口されており、各開口部５６、５８の間には各開口部５６、５８を仕切る立壁部６４、各開口部６０、６２の間には各開口部６０、６２を仕切る立壁部６６がそれぞれ形成され、各立壁部６４、６６の頂部は、ケース１４の端面側を湾曲させてある。各ＵＳＢ端子３０Ａ、３０Ｂ、３２Ａ、３２Ｂの端子面は、開口部５６、５８、６０、６２の開口形状に対応し、ケース１４の上面側から側面側に跨がって湾曲して配置されている。また、各ＵＳＢ端子３０Ａ、３０Ｂ、３２Ａ、３２Ｂは、配線基板４２に設置されている回路導体に接続されている。
【００２３】
そして、各立壁部６４、６６には個別に避雷導体部３４が支持されており、各避雷導体部３４の頂部導体面は各立壁部６４、６６の頂部に露出している。従って、図５に示すように、配線基板４２を基準に避雷導体部３４の導体面の高さｈ１  はＵＳＢ端子３０Ａ、３０Ｂ、３２Ａ、３２Ｂの端子面の高さｈ２  より高く、窓部３６、３８の開口面側に露出している。このため、避雷導体部３４は、ＵＳＢ端子３０Ａ、３０Ｂ、３２Ａ、３２Ｂの端子面より人体等の静電気源に近づく位置に設定されている。
【００２４】
次に、避雷導体部３４の形状について、図６を参照して説明する。図６は、図５に示す接続装置２０の立壁部６６の部分で切断したＶＩ−ＶＩ線断面図である。
【００２５】
避雷導体部３４が接地される筐体部４４は、絶縁性合成樹脂等の絶縁体で形成され、底面部に嵌合突部６８を備えている。この嵌合突部６８と配線基板４２の嵌合孔７０との嵌合により、配線基板４２に対して接続装置２０の筐体部４４が位置決めされているとともに、強固に固定されている。
【００２６】
避雷導体部３４は、銅板や真鍮板等の導体板で形成され、筐体部４４の立壁部６６に支持されて導体面を露出させる露出部７２と、筐体部４４を貫通させる直立部７４と、筐体部４４の下面側に突出して配線基板４２に接続させる接続部７６とを備えている。露出部７２には、立壁部６６の形状に対応して露出させる張出部７８と、立壁部６６の前部側に対応して露出させる張出部８０とが形成されている。そして、露出部７２の頂部には、後縁部と中間部のそれぞれに突部８２、８４が形成されている。直立部７４は、露出部７２より幅が狭く、接続部７６は直立部７４より細く形成されている。このように避雷導体部３４の露出部７２は、立壁部６６の後部から頂部及び前部に跨がって幅の広い導体面の確保と突部８２、８４とにより、露出部７２への静電気の飛び込みが容易化ないし強化されている。
【００２７】
また、避雷導体部３４は絶縁体である立壁部６６内を直立部７４によって貫通させて筐体部４４に支持されている。この避雷導体部３４の接続部７６は配線基板４２の貫通孔８６に貫通させ、配線基板４２の背面側に突出させた接続部７６に接地導体であるフレームグランド８８が半田９０によって電気的に接続されている。このように、避雷導体部３４は、絶縁体である立壁部６６で側面部が被覆されているので、隣接したＵＳＢ端子３２Ａ、３２Ｂとの絶縁が図られているとともに、接続部７６を通して配線基板４２のフレームグランド８８に接続されて同電位に設定されている。このような構成は、立壁部６４側の避雷導体部３４も同様である。
【００２８】
係る構成によれば、人体等の静電気源の近傍に携帯電話機２が設置された場合、例えば、図７に示すように、静電気に帯電した人体の一部をＵＳＢ端子３２Ａ、３２Ｂに近づけた場合、ＵＳＢ端子３２Ａ、３２Ｂの近傍に設置されている避雷導体部３４が接地電位に維持されている結果、静電気が避雷導体部３４の露出部７２に飛び、直立部７４及び接続部７６を経て配線基板４２のフレームグランド８８に静電気、即ち、電荷が流れる。図７において、９２は静電気放電を示す。この場合、避雷導体部３４の露出部７２で形成される導体面は、ＵＳＢ端子３２Ａ、３２Ｂより高く、広い面積であることから、静電気放電が避雷導体部３４側に飛び、ＵＳＢ端子３２Ａ、３２Ｂ側には避雷導体部３４によって避雷バリアが形成されることとなり、ＵＳＢ端子３２Ａ、３２Ｂに対する静電気放電が回避される。このような避雷効果は、ＵＳＢ端子３０Ａ、３０Ｂ側でも同様に避雷導体部３４で回避される。この結果、ＵＳＢ端子３０Ａ、３０Ｂ、３２Ａ、３２Ｂが接続された配線基板４２の回路導体や電子部品が静電気放電から防護され、携帯電話機２の配線基板４２や内部回路の静電気破壊が防止できるとともに、誤動作を防止することができる。
【００２９】
また、避雷導体部３４は、ＵＳＢ端子３０Ａ、３０Ｂ又はＵＳＢ端子３２Ａ、３２Ｂの隣接位置、実施形態では各ＵＳＢ端子３０Ａと３０Ｂ又はＵＳＢ端子３２Ａと３２Ｂの間に設置されてＵＳＢ端子３０Ａ、３０Ｂ又はＵＳＢ端子３２Ａ、３２Ｂに接地バリアを形成し、極めて簡単な構造を以て、避雷機能を実現している。
【００３０】
そして、この携帯電話機２では、内蔵された二次電池は、例えば、図８に示すように、携帯電話機２を充電及び外部接続用のクレイドル９４に設置され、接続装置２０の充電端子２４、２６にはクレイドル９４の接続端子９６、９８を介して交流・直流変換器（ＡＣ／ＤＣ）１００が接続され、交流電源１０２から加えられた交流電流を整流して得られた直流出力が加えられ、二次電池の充電が行われる。また、接続装置２０のＵＳＢ端子３０Ａ、３０Ｂ及びＵＳＢ端子３２Ａ、３２Ｂには、クレイドル９４の接続端子１０４、１０６に接続されたＵＳＢケーブル１０８を介して図示しないパソコン等の周辺機器に接続され、携帯電話機２と外部機器との情報の授受が可能である。この場合、避雷導体部３４が接地されているので、ＵＳＢ端子３０Ａ、３０Ｂ、３２Ａ、３２Ｂの使用中の静電気放電を回避することができる。
【００３１】
次に、以上述べた接続装置及び電子機器の実施形態について、その変形例、その他の技術的な拡張事項等を以下に列挙する。
【００３２】
（１）  上記実施形態では、携帯電話機を例に取って説明したが、本発明の接続装置及び電子機器は、携帯電話機、ＰＨＳ、ＰＤＡ（Ｐｅｒｓｏｎａｌ  Ｄｉｇｉｔａｌ  Ａｓｓｉｓｔａｎｔ）、ＰＣ（Ｐｅｒｓｏｎａｌ  Ｃｏｍｐｕｔｅｒ  ）、ハンドヘルドＰＣ（ｈａｎｄｈｅｌｄ  Ｐｅｒｓｏｎａｌ  Ｃｏｍｐｕｔｅｒ）、その他の情報携帯端末等を包含するものであり、ディジタルカメラ等、ＵＳＢ端子等の導電端子を備える接続装置や電子機器に適用でき、実施形態の携帯電話機に限定されるものではない。
【００３３】
（２）  上記実施形態では、ＵＳＢ端子を例に取って説明したが、本発明は、ＵＳＢ以外の導電端子を備える接続装置に適用でき、ＵＳＢ端子に限定されるものではない。
【００３４】
（３）  上記実施形態では、ケース１４は前面ケース１６、背面ケース１８の接合体である場合について説明したが、単一のケースに蓋部を備える構成としてもよい。
【００３５】
以上説明したように、本発明の最も好ましい実施の形態等について説明したが、本発明は、上記記載に限定されるものではなく、特許請求の範囲に記載され、又は発明の詳細な説明に開示された発明の要旨に基づき、当業者において様々な変形や変更が可能であることは勿論であり、係る変形や変更が、本発明の範囲に含まれることは言うまでもない。
【００３６】
【発明の効果】
以上説明したように、本発明によれば、次の効果が得られる。
（１）    本発明の接続装置によれば、導電端子に隣接した避雷導体部に静電気放電を生じさせて導電端子側への静電気放電を回避することができ、導電端子に接続された配線基板や電子部品を静電気破壊から防護できる。
（２）    本発明の接続装置において、避雷導体部の導体面を導電端子の端子面より高い位置に設定すれば、避雷導体部側で静電気放電が生じ易くなり、より避雷効果を高めることができる。
（３）    本発明の接続装置において、避雷導体部の導体面が導電端子の端子面より狭い面積とすれば、接続装置に避雷導体部の占める面積を縮小でき、避雷効果を得ることができる。
（４）    本発明の接続装置において、避雷導体部がその導体面に１又は２以上の突部を備えれば、その突部に静電気が飛び易くなり、導電端子に対する避雷効果を高めることができる。
（５）    本発明の電子機器によれば、上記接続装置を備えたので、静電気が避雷導体部に飛び、外部接続のための導電端子側を静電気放電から防護でき、静電気放電による携帯電話機等の各種電子機器の破壊や誤動作を防止することができる。
【図面の簡単な説明】
【図１】本発明の実施形態に係る携帯電話機の開いた状態を示す斜視図である。
【図２】接続装置が設置された操作部の背面側から示した図である。
【図３】操作部に設置された接続装置の外観を示す図である。
【図４】操作部を分解して接続装置を示した分解斜視図である。
【図５】図４に示す接続装置のＶ−Ｖ線断面図である。
【図６】図５に示す接続装置のＶＩ−ＶＩ線断面図である。
【図７】静電気放電を示す図である。
【図８】携帯電話機の外部接続を示す図である。
【符号の説明】
２  携帯電話機
２０  接続装置
３０Ａ、３０Ｂ、３２Ａ、３２Ｂ  ＵＳＢ端子（導電端子）
３４  避雷導体部
７２  露出部
８２、８４  突部
８８  フレームグランド
【図１】
2005005218.tif 000003
【図２】
2005005218.tif 000004
【図３】
2005005218.tif 000005
【図４】
2005005218.tif 000006
【図５】
2005005218.tif 000007
【図６】
2005005218.tif 000008
【図７】
2005005218.tif 000009
【図８】
2005005218.tif 000010